(57)【要約】【課題】フレーム間に隙間のない組立式カーテンを提供する。【解決手段】枠状のフレーム１２と、前記フレームを床面上に自立させる脚部２０と、隣接する複数の前記フレーム１２を連結する連結手段２２と、前記フレーム１２に懸架され、連結された前記複数のフレーム１２を幅方向にわたってカバーする１枚のシート部１８と、を備えた組立式カーテン１０。【選択図】図１
2014036762.tif 000002
【特許請求の範囲】
【請求項１】
枠状のフレームと、
前記フレームを床面上に自立させる脚部と、
隣接して配置された複数の前記フレームを連結する連結手段と、
連結された複数の前記フレームに懸架され、横方向に張り渡された１枚のシート部と、
を備えた組立式カーテン。
【請求項２】
前記フレームは丸パイプで形成された長方形状であり、
前記シート部は前記丸パイプに懸架されることを特徴とする請求項１に記載の組立式カーテン。
【請求項３】
前記シート部の上縁部および左右縁部から突出する複数の係止部と、
前記係止部の先端および根元、または前記シート部の縁部に設けられた面ファスナーと、を備えたことを特徴とする請求項１または請求項２に記載の組立式カーテン。
【発明の詳細な説明】
【技術分野】
【０００１】
本発明は組立式カーテンに関する。
【背景技術】
【０００２】
例えば医療検査を行う場合には医療検査専用の施設であっても多様な目的（検査種目など）に応じて部屋の広さや数をフレキシブルに変更する必要がある。
【０００３】
施設の限られたスペースにおいて、用途に応じて部屋の広さや数をフレキシブルに変更できる機能を備えたものとしては、組立式カーテン（パーティション）が存在し、主に室内床面に自立させて空間を隔てるための道具として用いられている。例えば、病院や診療所では、布製のシート部材をパイプフレームの上下に張った形式の組立式カーテンが広く用いられている（例えば、特許文献１参照）。
【先行技術文献】
【特許文献】
【０００４】
【特許文献１】実開平６−１３６３６号公報
【発明の概要】
【発明が解決しようとする課題】
【０００５】
しかし従来の組立式カーテンは例えばアルミパイプなどからなる複数のフレームを組み合わせた構造が多く、カーテン生地も各々のフレームごとに貼る構成であった。このため、組み立て式カーテンを並べて配置しても個々のフレームの間に隙間が生じ、本来の目的であるプライバシー性の確保が難しい。
【０００６】
またパイプフレーム上部がアーチ型などの場合、隣接するフレーム同士の間はフレームの上部ほど必然的に広くなるため、これもまたプライバシー性を阻害する要因となっている。
【０００７】
本発明は上記事実を考慮し、並べて配置した際にフレーム間に隙間の生じない組立式カーテンを提供することを目的とする。
【課題を解決するための手段】
【０００８】
請求項１に記載の組立式カーテンは、枠状のフレームと、前記フレームを床面上に自立させる脚部と、隣接して配置された複数の前記フレームを連結する連結手段と、連結された複数の前記フレームに懸架され、横方向に張り渡された１枚のシート部と、を備えたことを特徴とする。
【０００９】
上記構成の発明では、複数のフレームを一枚のシート部でカバーする構造としたため、フレーム同士の隙間に、シート部（カーテン）で覆われていない部分が生じることを防ぎ、プライバシー性を確保することができる。
【００１０】
請求項２に記載の組立式カーテンは、請求項１に記載の構成において、前記フレームは丸パイプで形成された長方形状であり、前記シート部は前記丸パイプに懸架されることを特徴とする。
【００１１】
上記構成の発明では、フレームを丸パイプで構成したため、フレームの結合部などに鋭角の部分が生じないのでシート部に負担が少なく、またフレームが長方形状であるためアーチ型などのフレームに比較して、フレームの結合部でシート部が弛み難い構造とすることができる。
【００１２】
請求項３に記載の組立式カーテンは、請求項１または請求項２に記載の構成において、前記シート部の上縁部および左右縁部から突出する複数の係止部と、前記係止部の先端および根元、または前記シート部の縁部に設けられた面ファスナーと、を備えたことを特徴とする。
【００１３】
上記構成の発明では、上縁部および左右縁部から突出する複数の係止部を備えたことで、フレームの左右幅一杯にカーテンを展開でき、また面ファスナーを使用することでカーテンの脱着が容易な構成とすることができる。
【発明の効果】
【００１４】
本発明は上記構成としたので、フレーム間に隙間のない組立式カーテンとすることができた。
【図面の簡単な説明】
【００１５】
【図１】本発明の実施形態に係る組立式カーテンを示す斜視図である。
【図２】本発明の実施形態に係る組立式カーテンを示す斜視図である。
【図３】本発明の実施形態に係る組立式カーテンのシート部を示す正面図である。
【図４】本発明の実施形態に係る組立式カーテンのフレームを示す正面図である。
【図５】本発明の実施形態に係る組立式カーテンの一部を示す斜視図である。
【発明を実施するための形態】
【００１６】
＜装置概要＞
【００１７】
図１、２には本発明の実施形態に係る組立式カーテンが示されている。
【００１８】
図１、２に示すように、組立式カーテン１０は複数の枠状のフレーム１２を連結手段２２で連結し、例えば３個一組のフレーム１２を一体として、１枚のシート部１８でカバーする構成とされている。
【００１９】
フレーム１２は例えばアルミで形成された丸パイプで、上下方向に延設された一対の縦フレーム１４と、一対の縦フレーム１４を上端で繋ぐように接合され床面と平行に張り渡された横フレーム１６と、一対の縦フレーム１４の下端を繋ぎ、床面と平行に設けられた略波形あるいは略Ｓ字型の脚部２０と、から構成されている。
【００２０】
フレーム１２は全体として上下方向に長い長方形であり、強度を確保するため上下方向の適切な位置に適宜、横棒２４、２６が設けられている。
【００２１】
フレーム１２は床上に設置される脚部２０にて、床面から直立するように自立可能に保持されており、脚部２０はフレーム１２の床上における位置決めを行うと同時に直立状態を維持する。すなわち脚部２０は床面と平行に設けられた略波形あるいは略Ｓ字型とされたことで、床上において種々の方向へのフレーム１２の転倒を防ぐ構造とされている。
【００２２】
フレーム１２は単独でも自立可能とされているが、連結手段２２で複数のフレーム１２を連結することで、屏風状あるいは平面視でコの字型に展開した際等にはさらに転倒し難くされている。脚部２０は略波形あるいは略Ｓ字型とされているので、複数連結されたフレーム１２を平面視でジグザグ状に折り畳んだ際にも脚部２０は互いに干渉せず、省スペース化が可能となる。
【００２３】
シート部１８は連結されたフレーム１２の幅方向にわたって１枚でこれをカバーしており、図２に示すようにシート部１８側から見れば幅方向両端を除いて縦フレーム１４は見えない構造とされている。
【００２４】
またシート部１８は上縁部１８Ａと横縁部１８Ｂに複数の係止部３０を備えている。係止部３０はシート部１８に縫合された帯状部材であり、横フレーム１６および縦フレーム１４に巻き掛け、先端をボタンや面ファスナーなどでシート部１８に係止することでシート部１８をフレーム１２に懸架する。
【００２５】
すなわち図３に示すように、シート部１８の上縁部１８Ａおよび横縁部１８Ｂから複数の係止部３０が延設されており、先端には面ファスナー３２が設けられている。また係止部３０の根本付近には、シート部１８の同じ側に面ファスナー３４が設けられており、面ファスナー３２、３４は互いに噛み合うように一方がフック面、他方がループ面とされている。
【００２６】
シート部１８の上縁部１８Ａおよび横縁部１８Ｂに設けられた係止部３０は図１、２に示すようにそれぞれ横フレーム１６、縦フレーム１４に巻き掛けられ、折り返して面ファスナー３２、３４が噛み合うことでシート部１８を横フレーム１６、縦フレーム１４に係止し、シート部１８はフレーム１２に固定される。
【００２７】
＜各部分の詳細＞
【００２８】
図４、５には本発明の実施形態に係る組立式カーテンの一部が示されている。
【００２９】
図４に示すように、フレーム１２の上端は横フレーム１６とされており、横フレーム１６の両端は端部１６Ｃとして縦フレーム１４と接合され、全体として長方形のフレーム１２を形成している。
【００３０】
横フレーム１６の両端は端部１６Ｃに代えて図４に示す端部１６Ｂのように丸められた端部とされていてもよいが、端部１６Ｃのように直線的に設けられた横フレーム１６と縦フレーム１４とが接合される形状であった方が、シート部１８の上縁部１８Ａに設けられた係止部３０が係止される箇所が多くなるため、シート部１８の弛みなどを防ぐ目的で望ましい。
【００３１】
図５（Ａ）（Ｂ）に示すように、縦フレーム１４は連結手段２２で他の縦フレーム１４と回転可能に連結される。連結手段２２は例えば樹脂製で断面が略数字の「３」形状をした治具であり、一端が開いた略「Ｃ」形状断面の部品をふたつ結合したものでよい。
【００３２】
１個のフレーム１２において縦フレーム１４に１個または複数の連結手段２２の一端を嵌合し、連結手段２２の他端を他のフレーム１２の縦フレーム１４に嵌合させることで２個のフレーム１２を、上下方向を軸として互いに回転可能に連結することができる。
【００３３】
２個、あるいは３個以上のフレーム１２を連結手段２２で連結することにより、全体として所望の横幅をもつ組立式カーテン１０を形成するためのフレーム１２とすることができる。このとき、２個のフレーム１２を連結していればＶ字型、３個のフレーム１２を連結していればＮ型に畳むことで自立状態のまま収納することもできる。あるいは図１に示すようにジグザグ状の脚部２０をフレーム１２ごとに備え、複数のフレーム１２を一直線に伸ばした状態で自立可能とする一方で、互いに脚部２０同士が干渉しない構成とすることもできる。
【００３４】
＜作用効果＞
【００３５】
本発明は上記構成としたので、以下のような優れた効果を有する。
【００３６】
すなわち、本発明の実施形態に係る組立式カーテン１０は、複数のフレーム１２を連結手段２２で回転可能に連結し、一枚のシート部１８を係止部３０で複数のフレーム１２に跨って係止することで、フレーム間にシート部１８の隙間のない組立式カーテン１０とすることができる。
【００３７】
図５（Ｂ）に示されるように、一枚のシート部１８で複数のフレーム１２を被覆しているため、連結手段２２で連結されたフレーム１２の縦フレーム１４は、一方の側からシート部１８で完全に被覆され、縦フレーム１４とシート部１８との間に隙間が生じることはない。
【００３８】
すなわち、一枚のシート部１８が１個のフレーム１２を被覆している場合、本実施形態のように係止部３０でシート部１８をフレーム１２に固定すれば、図５（Ａ）に示すように縦フレーム１４とシート部１８の横縁部１８Ｂとの間に間隙１８Ａが生じる虞がある。
【００３９】
これに対して一枚のシート部１８で複数のフレーム１２を被覆する構成であれば、図５（Ｂ）に示すように縦フレーム１４の周囲に間隙が生じる虞はない。これにより、フレーム１２の間に隙間のない組立式カーテン１０とすることができる。
【００４０】
以上、本発明の実施例について記述したが、本発明は上記の実施例に何ら限定されるものではなく、本発明の要旨を逸脱しない範囲において種々なる態様で実施し得ることは言うまでもない。
【００４１】
たとえば本実施形態では面ファスナー３２、３４を用いた係止部３０でシート部１８をフレーム１２に係止する構成としたが、これに限定せず紐やスナップなど種々の方法でシート部１８をフレーム１２に固定することができる。
【符号の説明】
【００４２】
１０   組立式カーテン
１２   フレーム
１４   縦フレーム
１６   横フレーム
１８   シート部
１８Ａ 上縁部
１８Ｂ 横縁部
１８Ｃ 間隙
２０   脚部
２２   連結手段
２４   横棒
３０   係止部
３２   面ファスナー
３４   面ファスナー
【図１】
2014036762.tif 000003
【図２】
2014036762.tif 000004
【図３】
2014036762.tif 000005
【図４】
2014036762.tif 000006
【図５】
2014036762.tif 000007